(57)【特許請求の範囲】
【請求項１】
ルーラと、
略目形状部材と、
を備える睫毛測定デバイスであって、
前記略目形状部材が、略目形状開口を備え、
前記略目形状部材が、上側アーチを備え、
前記略目形状開口が、ゲイジングするためのものであり、
前記ルーラが、鏡において前記ルーラの読み取りを容易にするためリバースに前記上側アーチに印刷され、かつ
前記ルーラが睫毛を測定するためのものであり、
スライド式グラチクルをさらに備え、前記スライド式グラチクルは、前記上側アーチに沿ってスライドするためのものであり、かつユーザにルーラ上の測定位置を示すことを可能にするためのものであることを特徴とする睫毛測定デバイス。
【請求項２】
前記スライド式グラチクルが、前記上側アーチを少なくとも部分的に取り囲む請求項１に記載の睫毛測定デバイス。
【請求項３】
前記略目形状部材が、フロントサイドおよびバックサイドを有し、かつ前記ルーラが、前記略目形状開口のフロントサイドに印刷されている請求項１に記載の睫毛測定デバイス。
【請求項４】
前記バックサイドが、ユーザの目に対して凹面であり、かつ前記フロントサイドが、前記バックサイドの凹面に応じて凸面である請求項３に記載の睫毛測定デバイス。
【請求項５】
前記略目形状部材が、下側アーチをさらに備え、前記下側アーチが、前記上側アーチに従属し、かつ前記略目形状開口を提供するため前記上側アーチ及び前記下側アーチが結合する請求項４に記載の睫毛測定デバイス。
【請求項６】
前記下側アーチに従属するハンドルをさらに備える請求項５に記載の睫毛測定デバイス。
【請求項７】
前記スライド式グラチクルが、前記上側アーチを少なくとも部分的に取り囲み、かつ
前記スライド式グラチクルが、垂直ライングラチクルを含む請求項６に記載の睫毛測定デバイス。
【請求項８】
睫毛測定デバイスの使用方法であって、前記睫毛測定デバイスが略目形状開口を有する略目形状部材を備え、前記略目形状開口が上側アーチ及び下側アーチにより形成され、かつリバース印刷を有するルーラが前記上側アーチに配置され、前記睫毛測定デバイスの使用方法が、
ａ）前記上側アーチがユーザの睫毛の近位にあるように、ユーザの目の近位に前記ルーラを配置するステップと、
ｂ）前記ユーザが略目形状開口を通して鏡をゲイジングすることにより、ユーザの睫毛を測定するステップであって、リバース印刷がその後、鏡像として正しい方向において読み取り可能に見えるステップと、
ｃ）睫毛の端にスライド式グラチクルを位置決めするステップと、
ｄ）前記スライド式グラチクルによりルーラ上に示された測定値を記録するステップと、
を備える睫毛測定デバイスの使用方法。
【発明の詳細な説明】
【技術分野】
【０００１】
本発明は測定デバイス、より詳しくは睫毛測定デバイスに関する。
【背景技術】
【０００２】
目関連の測定デバイスに対する多くのイノベーションが、従来において提供されてきた。これらのイノベーションは、それが取り組む特定の個々の目的に適しているかもしれないが、それは本発明とは異なる。
コッシュによる１９６２年８月２８日発行の特許文献１は、レンズを囲む長方形の垂直寸法および水平寸法を測定する機器を教示している。
セバスチャンによる１９６５年８月１７日発行の特許文献２は、人工睫毛の製造及び保守に用いられる人工睫毛の睫毛に対して選択可能な曲率および均一スペースを伝えるデバイスを教示している。
キムによる１９７０年６月３０日発行の特許文献３及び１９７１年１月２６日発行の特許文献４の両方は、ユーザの目をサイズ及び形状の両方に関して補完するため、つけ睫毛が正確にサイズ決定されるのを可能にする測定デバイスを教示する。トリマーは、つけ睫毛が、サイズ及び形状に関して、正確にカットされるのを可能にする。測定デバイスは、個人の好みに合うように、個人により手動で用いられる。
【先行技術文献】
【特許文献】
【０００３】
【特許文献１】米国特許第３０５０８６０号明細書
【特許文献２】米国特許第３２００８２３号明細書
【特許文献３】米国特許第３５１７６７３号明細書
【特許文献４】米国特許第３５５７６５３号明細書
【発明の概要】
【発明が解決しようとする課題】
【０００４】
現在、目関連の測定デバイスに関して多くのイノベーションが、種々の目的に適した従来技術において提供されてきたことは明らかである。さらに、これらのイノベーションは、それが取り組む特定の個々の目的に適しているかもしれないが、その結果、それは前述したように本発明の目的には適していない。
【課題を解決するための手段】
【０００５】
本発明は、前記従来技術の欠点を回避する睫毛測定デバイスを提供する。
より具体的には、本発明は、製造が簡単および安価であり、並びに、簡単に使える睫毛測定デバイスを提供する。
本発明は、より詳しくは、コンパクト及び手持ちの実施を可能にする睫毛測定デバイスに関する。
本発明の熟考された特徴である新規の特徴は、添付の特許請求の範囲に記載されている。本発明はそれ自身、その構造およびその操作方法の両方に関して、更なる利点と共に、以下の特定の実施形態の以下の説明から、最も良く理解される。
本発明の更なる特徴、効果、および利点は、本発明の好ましい例示的な実施形態の以下の説明から明らかになる。
【図面の簡単な説明】
【０００６】
【図１】図１は左目の睫毛の長さを測定する人を示す概略的な正面図である。
【図２】図２は右目の睫毛を測定することが意図された本発明の睫毛測定装置の実施形態の立面図である。
【図３】図３は図２の矢印３方向における上面図である。
【図４】図４は図２の矢印４方向における側面図である。
【図５】図５は左目の睫毛を測定することが意図された本発明の睫毛測定デバイスの実施形態の立面図である。
【図６】図６は図２の矢印６方向における側面図である。
【図７】図７は図２の矢印７方向における底面図である。
【図８】図８は図２の矢印８により示された点線の円に囲まれたエリアの拡大図であり、接眼窓コンポーネント上のスケールと協働するスライド式グラチクルを示す。
【図９】図９はスライド式グラチクル自体の拡大概略斜視図である。
【図１０】図１０は図８の線１０−１０での断面図である。
【発明を実施するための形態】
【０００７】
次に、同様の数字が同様の要素を示す図面、及び特に図１を参照すると、本発明は、ルーラ１２と、略目形状部材１１と、を備える睫毛測定デバイス１０に関し、これは、略目形状開口１４を有する。
〔略目形状開口１４の詳細な説明〕
次に、図２〜７を参照すると、略目形状部材１１は、上側アーチ１６を備える。ルーラ１２は、上側アーチ１６に印刷されている。これは、ユーザ１８が、ルーラ１２を含む上側アーチ１６がユーザ１８の睫毛の近位にあるように、ユーザ１８の目の近位にルーラ１２を配置することにより、ユーザ１８の目を測定することを可能にする。
これをさらに容易化するため、ルーラ１２は、上側アーチ１６のリバース（reverse）２０に印刷されている。これは、ユーザ１８が、略目形状開口１４を通して鏡をゲイジングすることにより、睫毛を測定するのを可能にしている。リバース印刷（reverse printing）２０はその後、鏡像として正しい方向において読み取り可能に見える。ユーザは次に、測定スポットを保つため、スライド式グラチクル２２を利用する。スライド式グラチクル２２は、以下により詳しく説明される。
【０００８】
略目形状開口１４は、フロントサイド（front side）２４とバックサイド（back side）２６とを有する。ルーラ１２は、略目形状開口１４のフロントサイド２４に印刷されている。これは、ルーラがフロントサイド２４に見える状態で、バックサイド２６がユーザの目に接することを可能にする。バックサイド２６は、ユーザ１８に対して凹面２８であり、かつフロントサイド２４は、バックサイド２６の凹面２８に応じて凸面３０である。これは、人間の目の形状にデバイスをより良く一致させることを可能にする。ルーラは、前述した、そのパス（これは凹面２８と凸面３０とを含む）に沿って上側アーチ１６をフォローする。これは、そうでなければ非常に困難なエリアであるものの測定を容易にする。なぜなら、それは、任意の３つの直交ディメンションが直線ではないからである。
【０００９】
好適な構成における略目形状開口１４はまた、下側アーチ３２を備える。略目形状開口１４を提供するため、下側アーチ３２は、上側アーチ１６に従属し、かつ上側アーチと結合している。他の形状を用いることは可能ではあるが、下側アーチ３２は間違いなく、目形状開口を達成するのに最もシンプルであると共に最も直接的な手段である。
加えて、ユーザ１８によるデバイス１０の保持を容易にするため、デバイス１０の好適な構成は、ハンドル３４をさらに備え、ハンドル３４は、下側アーチ３２に従属する。
【００１０】
〔スライド式グラチクル２２の詳細な説明〕
測定を容易にするため、かつユーザにより測定が容易になされ続けるのを可能にするため、スライド式グラチクル２２が設けられる。グラチクル２２は、上側アーチ１６に沿ってスライドするものである。グラチクル２２は、ユーザ１８に上側アーチ１６上のルーラ１２上の測定位置を示すのを可能にし、前記位置は通常、睫毛の端に対応する。これを行うため、グラチクル２２は、上側アーチ１６を少なくとも部分的に取り囲む。したがって、グラチクル２２は、落ちることなく、上側アーチ１６に沿ってスライドすることができる。
測定をより容易に行うため、グラチクル３８の垂直ラインが、ルーラ１２上の特定スポットに対するグラチクル２２の容易な対応を可能にするために用いられる。
【００１１】
〔デバイス１０の使用方法〕
デバイス１０の好適な使用方法は第一に、上側アーチ１６がユーザ１８の睫毛の近位にあるように、ユーザ１８の目の近位にルーラ１２を配置する。その後、第二に、ユーザ１８が略目形状開口１４を通して鏡をゲイジング（gazing）することにより、ユーザ１８の睫毛を測定し、リバース印刷２０はその後、鏡像として正しい方向において読み取り可能に見える。これは、任意の一般的な家庭用鏡を有するデバイスを用いて容易にし、かつルーラ１２が読み取れる距離をユーザ１８に調節させる。これは、近視又は遠視などのいくつかの距離で目が不自由かもしれないユーザ１８には、従来の方法に対し有利となる。これは、睫毛測定デバイス１０の場合に特に役立つ。なぜなら、睫毛測定は、眼鏡の着用を不可能にするからである。
【００１２】
このため、睫毛測定デバイス１０を用いた方法は、睫毛測定デバイス１０が、略目形状開口１４を有する略目形状部材１１を備えるものである。略目形状開口１４は、上側アーチ１６と下側アーチ３２とにより形成され、かつリバース印刷２０を有するルーラ１２は、上側アーチ１５上に置かれる。この方法は、以下のステップを備える。
ステップ１：上側アーチ１６がユーザ１８の睫毛の近位にあるように、ルーラ１２をユーザ１８の目の近位に置くステップ。
ステップ２：ユーザが略目形状開口１４を通して鏡をゲイジングすることにより、ユーザ１８の睫毛を測定するステップ。リバース印刷２０は次に鏡像として正しい方向において読み取り可能に見える。
ステップ３：睫毛の端にスライド式グラチクル２２を位置決めするステップ。
ステップ４：スライド式グラチクル２２によりルーラ１２上に示された測定値を記録するステップ。
【００１３】
また、上述した要素のそれぞれ、又は二つ又は三つ以上は共に、上述したタイプとは異なる他のタイプの構成において有用な適用を見出すことができることを理解されたい。
本発明は、睫毛測定デバイスの実施形態として図示及び説明されたが、結果的に、示された詳細に限定されない。なぜなら、図示されたデバイスの形態および詳細、並びにその操作の、種々の省略、修正、置換、及び変更が、本発明の精神から何等逸脱することなく、当業者によりなされることが理解されるからである。
従来技術の観点から、本発明の包括的な又は特定の態様の特徴を適正に構成する特徴を省略することなく、他の者が現在の知識を適用することにより、それを様々な用途に容易に適合させることができるように、上記した説明は、さらなる検討なしに、本発明の趣旨を十分に明らかにしている。
【符号の説明】
【００１４】
１０  睫毛測定デバイス
１１  略目形状部材
１２  ルーラ
１４  略目形状部材１１の略目形状開口
１６  略目形状開口１４の上側アーチ
１８  ユーザ
２０  ルーラ１２のリバース印刷
２２  スライド式グラチクル
２４  略目形状開口１４のフロントサイド
２６  略目形状開口１４のバックサイド
２８  略目形状開口１４のバックサイド２６の凹面
３０  略目形状開口１４のフロントサイド２４の凸面
３２  略目形状開口１４の下側アーチ
３４  ハンドル
３６  スライド式グラチクル２２の上側アーチの包囲
３８  スライド式グラチクル２２の垂直ライン
【図１】
0006055121.tif 000002
【図２】
0006055121.tif 000003
【図３】
0006055121.tif 000004
【図４】
0006055121.tif 000005
【図５】
0006055121.tif 000006
【図６】
0006055121.tif 000007
【図７】
0006055121.tif 000008
【図８】
0006055121.tif 000009
【図９】
0006055121.tif 000010
【図１０】
0006055121.tif 000011